(57)【特許請求の範囲】
【請求項１】
放射線検出器が放射線を検出した結果としてのアナログ信号パルスを入力し、その電圧レベルが所定のレベル以上、あるいは許容範囲内である場合、デジタルパルスを出力する波高弁別手段と、
上記デジタルパルスを入力して定周期で計数して計数値を出力する計数手段と、
上記波高弁別手段から出力されたデジタルパルスを加算入力すると共に、後述のパルス発生手段から出力されるフィードバックパルスを減算入力し、その結果の積算値を出力する加減積算手段と、
この加減積算手段に入力されたパルスが計測されるべき計数率に対し予め設定された標準偏差により重み付けされて計数されるように制御する積算制御手段と、
上記積算値を入力して上記積算値に基づき所定の演算式により算出された繰り返し周波数を有するパルスを上記フィードバックパルスとして上記加減積算手段に出力するパルス発生手段と、
定周期で上記計数手段の計数値及び上記加減積算手段の積算値をそれぞれ入力し、上記計数手段の計数値および上記加減積算手段の積算値に基づき第１の計数率を求めると共に、上記加減積算手段の積算値に基づき第２の計数率を求め、上記第１の計数率と第２の計数率を比較することにより上記加減積算手段の健全性を診断して出力する演算手段とを
備えたことを特徴とする放射線測定装置。
【請求項２】
上記演算手段は、上記計数手段の計数値を読み込み、定周期では上記計数手段をリセットせずに、上記計数手段の計数値が上記計数手段に予め設定されたオーバーフロー限界値手前の所定の値を超えた場合にリセットするようにしたことを特徴とする請求項１記載の放射線測定装置。
【請求項３】
上記計数手段の計数値が放射線測定レンジ上限以上に相当する場合に、上記演算手段の出力の指示値をフリッカするようにしたことを特徴とする請求項１または２記載の放射線測定装置。
【請求項４】
上記放射線検出器に供給する高圧電源の電圧レベルを入力してデジタルデータに変換する第１のA/D変換器と、上記波高弁別手段の波高弁別レベルをデジタルデータに変換する第２のA/D変換器を備え、それぞれのデジタルデータを上記演算手段に入力して定周期で診断するようにしたことを特徴とする請求項１乃至３のいずれか一つに記載の放射線測定装置。
【請求項５】
テスト信号を発生するテスト信号発生器と、上記波高弁別手段の出力信号と上記テスト信号を切り換える切換スイッチを備え、上記演算手段は、テスト時に上記切換スイッチをテスト信号入力に切り換え、上記第１の計数率をテスト入力計数率として指示誤差演算を行って指示誤差を表示することを特徴とする請求項１乃至４のいずれか一つに記載の放射線測定装置。
【請求項６】
上記演算手段は、上記指示誤差として複数回の移動平均値を表示するようにしたことを特徴とする請求項５記載の放射線測定装置。
【請求項７】
テスト入力と指示応答をトレンド表示するようにしたことを特徴とする請求項５または６記載の放射線測定装置。
【請求項８】
上記放射線検出器の出力パルスを模擬した模擬パルスを出力する模擬パルス発生器と、上記放射線検出器の出力パルスと上記模擬パルスを切り換える切換スイッチを備え、上記演算手段は、テスト時に上記切換スイッチを模擬パルス入力に切り換えると共に、上記模擬パルスの波高を変化させるようにしたことを特徴とする請求項１乃至７のいずれか一つに記載の放射線測定装置。
【請求項９】
放射線検出器の出力パルスをデジタルパルスに変換し、アップダウンカウンタにより上記デジタルパルスを加算すると共に、フィードバックパルスを減算し、その結果の積算値Mを出力し、上記積算値Mに基づき所定の演算式により算出された繰り返し周波数を有するパルスを上記フィードバックパルスとして出力すると共に、上記積算値Mに基づく計数率mを演算する放射線測定装置の診断方法において、
今回演算周期の上記アップダウンカウンタの積算値M(今回)と上記デジタルパルスを計数するカウンタの計数値N(今回)を読み込む第１のステップと、
上記積算値M(今回)に基づき上記計数率m(今回)を求める第２のステップと、
上記計数値N(今回)に基づき積算値Q(今回)を求め、この積算値Q(今回)に基づき上記計数率n(今回)を求める第３のステップと、
計数率m(今回)/ 計数率n(今回)が1±k（kは1より小さい値）以内ならば診断結果「良」を出力し、1±kを逸脱するならば診断結果「否」を出力する第４のステップを含む
ことを特徴とする放射線測定装置の診断方法。
【請求項１０】
上記計数値N(今回)が上記カウンタに予め設定されたオーバーフロー限界値手前の値か否か判定し、オーバーフロー限界値手前の値未満ならば、上記カウンタをリセットせずに上記第１のステップに戻り、オーバーフロー限界値手前の値以上ならば、上記カウンタをリセットして計数を最初から再開させ、上記第１のステップに戻るようにしたことを特徴とする請求項９記載の放射線測定装置の診断方法。
【請求項１１】
上記カウンタに入力された上記デジタルパルスの正味計数値が放射線測定レンジ上限以上か否か判定し、放射線測定レンジ上限以上ならば、表示される放射線測定値にフリッカのフラグをたて、上記第１のステップに戻り、上記正味計数値が放射線測定レンジ上限未満ならば、表示される放射線測定値にフリッカのフラグなしとし、上記第１のステップに戻るようにしたことを特徴とする請求項９または１０記載の放射線測定装置の診断方法。 
【発明の詳細な説明】
【技術分野】
【０００１】
この発明は、原子炉施設、使用済燃料再処理施設等の放出管理あるいは放射線管理に用いられる放射線モニタを構成する放射線測定装置及びその診断方法に関するものである。
【背景技術】
【０００２】
原子炉施設、使用済燃料再処理施設等で使用される放射線測定装置は、放射線を検出した結果としての信号パルスの入力繰り返し周波数が10cpm程度から107cpm程度までの広い
レンジをカバーして測定することが求められ、レンジ切り替えに伴う不連続性をなくすために、広いレンジをレンジ切り換えなしで高速で動作するアップダウンカウンタを用いた計数率測定が行われている。この測定方法は、アップダウンカウンタの加算入力と時定数の１次遅れで追従する減算入力がバランスしたときの積算値を演算器が定周期で読み取って計数率を演算するもので、特に高計数率まで測定できることが特徴である。（特許文献１参照）
【０００３】
また、アップダウンカウンタを用いた計数率測定を外部からオンライン診断しようとすると、例えば、波高分析器とコントローラを備え、波高分析器は検出器からの信号パルスを入力して所定の測定時間のスペクトルを測定し、コントローラは波高分析器のスペクトルデータ及び演算器の計数率を入力し、スペクトルデータに基づき所定の波高範囲の積算計数を求め、その積算計数を測定時間で割り算して計数率を求め、その計数率と演算器の計数率を比較して診断していた。（特許文献２，３参照）
【先行技術文献】
【特許文献】
【０００４】
【特許文献１】特開２００８−２１５９０７号公報
【特許文献２】特開２００１−２１５２７９号公報
【特許文献３】特開平６−３２４１５８号公報
【発明の概要】
【発明が解決しようとする課題】
【０００５】
従来の放射線測定装置は以上のように構成されているので装置が大掛かりになるという問題があった。また、精度の高い診断を行うには、アップダウンカウンタの入力と波高分析器の入力を、同じ時間軸の同じ時間帯のパルス列の取り込みになるように、コントローラでアップダウンカウンタと波高分析器を制御して同期をとらなければならないが、アップダウンカウンタは時定数がリアルタイムで変化するため、アップダウンカウンタと波高分析器の取り込みパルス列を合わせることは原理的に困難であるため診断精度を高めることができないという問題があった。
【０００６】
この発明は上記のような課題を解決するためになされたものであり、簡単な構成で放射線測定の要である計数率測定について、精度の高い自己診断をオンラインで行うことができる放射線測定装置及びその診断方法を提供することを目的とする。
【課題を解決するための手段】
【０００７】
この発明に係わる放射線測定装置は、放射線検出器が放射線を検出した結果としてのアナログ信号パルスを入力し、その電圧レベルが所定のレベル以上、あるいは許容範囲内である場合、デジタルパルスを出力する波高弁別手段と、
上記デジタルパルスを入力して定周期で計数して計数値を出力する計数手段と、
上記波高弁別手段から出力されたデジタルパルスを加算入力すると共に、後述のパルス発生手段から出力されるフィードバックパルスを減算入力し、その結果の積算値を出力する加減積算手段と、
この加減積算手段に入力されたパルスが計測されるべき計数率に対し予め設定された標準偏差により重み付けされて計数されるように制御する積算制御手段と、
上記積算値を入力して上記積算値に基づき所定の演算式により算出された繰り返し周波数を有するパルスを上記フィードバックパルスとして上記加減積算手段に出力するパルス発生手段と、
定周期で上記計数手段の計数値及び上記加減積算手段の積算値をそれぞれ入力し、上記計数手段の計数値および上記加減積算手段の積算値に基づき第１の計数率を求めると共に、上記加減積算手段の積算値に基づき第２の計数率を求め、上記第１の計数率と第２の計数率を比較することにより上記加減積算手段の健全性を診断して出力する演算手段とを
備えたものである。
【０００８】
この発明に係わる放射線測定装置の診断方法は、放射線検出器の出力パルスをデジタルパルスに変換し、アップダウンカウンタにより上記デジタルパルスを加算すると共に、フィードバックパルスを減算し、その結果の積算値Mを出力し、上記積算値Mに基づき所定の演算式により算出された繰り返し周波数を有するパルスを上記フィードバックパルスとして出力すると共に、上記積算値Mに基づく計数率mを演算する放射線測定装置の診断方法において、
今回演算周期の上記アップダウンカウンタの積算値M(今回)と上記デジタルパルスを計数するカウンタの計数値N(今回)を読み込む第１のステップと、
上記積算値M(今回)に基づき上記計数率m(今回)を求める第２のステップと、
上記計数値N(今回)に基づき積算値Q(今回)を求め、この積算値Q(今回)に基づき上記計数率n(今回)を求める第３のステップと、
計数率m(今回)/ 計数率n(今回)が1±k（kは1より小さい値）以内ならば診断結果「良」を出力し、1±kを逸脱するならば診断結果「否」を出力する第４のステップを含むものである。
【発明の効果】
【０００９】
この発明に係わる放射線測定装置及びその診断方法は、第１の計数率と第２の計数率を比較することにより上記加減積算手段の健全性を診断して出力するようにしたので、簡単な構成で放射線測定装置の要である計数率測定について、精度の高い自己診断をオンラインで行うことができ、信頼性の高い装置を安価で提供できる。
【図面の簡単な説明】
【００１０】
【図１】この発明の実施の形態１を示すブロック図である。
【図２】この発明の実施の形態１を示すタイムチャートである。
【図３】この発明の実施の形態１を示す入出力特性の概念図である。
【図４】この発明の実施の形態１を示すフロー図である。
【図５】この発明の実施の形態２を示すタイムチャートである。
【図６】この発明の実施の形態２を示すフロー図である。
【図７】この発明の実施の形態３を示すフロー図である。
【図８】この発明の実施の形態４を示すブロック図である。
【図９】この発明の実施の形態５を示すブロック図である。
【図１０】この発明の実施の形態６を示すトレンドである。
【図１１】この発明の実施の形態７を示すブロック図である。
【発明を実施するための形態】
【００１１】
実施の形態１．
以下、この発明の実施の形態１を図に基づいて説明する。図１において、放射線検出器1は、放射線を検出してアナログ信号パルスを出力し、波高弁別器2は、放射線検出器1から出力されたアナログ信号パルスを入力し、その電圧レベルが所定のレベル以上である場合、あるいは許容範囲内である場合、デジタルパルスを出力する。アップダウンカウンタ3は、定周期で波高弁別器2から出力されたデジタルパルスを加算入力31に入力し、パルス発生器4から出力されたデジタルパルスを減算入力32に入力し、その結果の積算値Mを出力する。
【００１２】
積算制御回路5は、アップダウンカウンタ3の加算入力31及び減算入力32に入力されたパルスを、標準偏差σに基づき重み付けして計数するように、アップダウンカウンタ3を制御する。パルス発生器4はアップダウンカウンタ3から出力された積算値Mを入力して繰り返し周波数に変換してアップダウンカウンタ3の減算入力32に入力する。カウンタ6は、波高弁別器2から出力されたデジタルパルスを入力し、定周期で計数して計数値Nを出力する。演算器7は、定周期でアップダウンカウンタ3から出力された積算値Mとカウンタ6から出力されたカウント値Nをそれぞれ入力して積算値に基づく計数率m、計数率nを求め、その
計数率m、計数率nに基づき工学値変換及び警報判定を行って放射線測定値及び警報を測定値出力端子8から出力する。メモリ9は演算器7の演算に必要な演算手段及び設定値を記憶すると共に演算結果を格納する。表示器100は、演算器7から出力された放射線測定値及び警報を表示する。
【００１３】
次に、アップダウンカウンタ3に入力される繰り返し周波数に対して演算器7から出力される計数率の応答について説明する。アップダウンカウンタ3は、波高弁別器2から出力される繰り返し周波数FINのデジタルパルスを加算入力31に入力し、パルス発生器4から出力される繰り返し周波数FBのデジタルパルスをフィードバックパルスとして減算入力32に入力し、その結果の積算値Mをパルス発生器4及び演算器7に出力する。パルス発生器4は、積算値Mを入力して次式(1)で示す繰り返し周波数FBのデジタルパルスを出力する。同様に、演算器7は積算値Mを入力して次式により計数率mを演算する。演算器7は設定された標準偏差σに基づき積算制御回路5の計数の重み付けを決定する。FB及びmは、FINに平衡するよ
うに時定数τの一次遅れで追従して応答する。
【００１４】
FB＝m＝eγM＝2γM/In2・・・（1）
σ＝1/(2mτ)1/2＝(ν/2)1/2・・・(2)
τ＝1/(2m(M)σ2)・・・(3)
ν＝2σ2＝2−λIn2・・・(4)
α＝11−λ・・・(5)
【００１５】
上記(4)式においてλを例えば11、9、7、5とすると、上記(2)式で示すように標準偏差σはそれぞれ1.3％、2.6％、5.2％、10.4％となる。上記(4)式でλが11の時を基準にすると、λが9、7、5の時、γはそれぞれ22倍、24倍、26倍となり、上記(2)式のように標準偏差σはそれぞれ21倍、22倍、23倍となり、上記(3)式のように時定数τはそれぞれ2−2倍
、2−4倍、2−6倍となる。
【００１６】
上記(1)式に示すようにmが一定の状態でγを2α倍にすると、Mは2−α倍で平衡する。
mが一定の状態において、γを変えてもMが変化しないようにするには、γを2α倍にしたらアップダウンカウンタ3は1パルスの重み付けを2α倍にして計数すればよい。すなわち、アップダウンカウンタ3の加算入力31に波高弁別器2から出力されたデジタルパルスが1個入力されると、Mは2αだけ加算計数される。一方、アップダウンカウンタ3の減算入力32にパルス発生器4から出力されるデジタルパルスが1個入力されると、Mは2αだけ減算計数される。結果として積算値Mは、加算入力と減算入力の差の積算値Pに2αを掛け算した値になる。ここでαは0または正の整数で、上記(5)式のようにλが11、9、7、5の時、αとしてそれぞれ0、2、4、6が与えられる。例えば、λが11の時は1パルスの入力に1個として加算または減算され、MとPは等しくなる。λが9の時は1パルスの入力に対して4個として加算または減算され、Mは4Pと等しくなる。
【００１７】
したがって、上記(1)式においてγを2α倍に変えることは、計数の重み付けを2α倍に変えることと同等であり、計数率nは、2α倍に重み付けされた結果の積算値Mと基準のλ＝11(α＝0)に対応するγに基づき上記(1)式により求められる。このように、積算制御回路5がアップダウンカウンタ3の計数の重み付けを制御することにより標準偏差σを容易に変更することができる。また、標準偏差σを変更しても積算値Mが変化しないので、測定中に指示の中心値を変化させることなく応答特性を変えることができる。なお、上記(1)式はパルス発生器4の出力パルスをクロックパルスで合成する等の回路上の都合あるいは演算処理の都合に合わせて、例えば、折れ線近似してもよい。
【００１８】
図２は、実施の形態１に係わるタイムチャートで、演算器7におけるアップダウンカウンタ3の積算値Mとカウンタ6の計数値Nの読み込みは、演算器7の内部のクロック(図示せず)の周期a1でシーケンシャルに制御され、例えば当該演算周期a2において、積算値Mの読み込みのタイミングa3に続くa4のタイミングで計数値Nが読み込まれ、a5のタイミングでカウンタがリセットされて計数を再開する。クロック4MHzとすると、完全同期からのずれは合計2クロックの0.5μ秒と軽微である。
【００１９】
図３は、実施の形態１に係わる入出力特性の概念図で、b1は入力信号パルスの繰り返し周波数FBのステップ状の変化を、b2は標準偏差2.6％における計数率mの応答を、b3は標準偏差5.2％における計数率mの応答をそれぞれ示すもので、時間経過に対して計数率mは指数関数で応答し、標準偏差σが大きいほど計数率mの応答が速いことを示している。
【００２０】
一方、今回演算周期の計数率n(今回)は、カウンタ6の今回演算周期の計数値N(今回)、アップダウンカウンタ3の前回演算周期の計数値M(前回)、計数率m(前回)、M演算周期の時間ΔTから、次式(6)で今回演算周期の積算値Q(今回)を求め、Q(今回)から次式(7)で求められる。
Q(今回)は、アップダウンカウンタ3の今回演算周期の積算値M(今回)に対応するのである。
n(今回)はM(今回)に基づき次式(8)で求めることができる。
Q(今回)＝M(前回)＋2α×{N(今回)−m(前回)×ΔT}・・・(6)
n(今回)＝eγQ(今回)＝2γQ(今回)/In2・・・(7)
m(今回)＝eγM(今回)＝2γM(今回)/In2・・・(8)
【００２１】
図４は実施の形態１に係わる演算手順のフロー図である。演算器7は、今回演算周期のアップダウンカウンタ3の積算値M(今回)とカウンタ6の計数値N(今回)を読み込む(S1)。次に、M(今回)に基づき上記(8)式で計数率m(今回)を求める(S2)。N(今回)に基づき上記(6)式で積算値Q(今回)を求める。Q(今回)に基づき上記(7)式で計数率n(今回)を求める(S3)。m(今回)/n(今回)が1±k以内ならば診断結果「良」を出力してS1に戻る(S4)。m(今回)/n(今回)が1±kを逸脱するならば診断結果「否」を出力してS1に戻る(S5)。ここで、kは1より小さい値で、計数率測定の分解能、必然的な誤差を含むが、標準偏差σの3倍以下で設定される。
【００２２】
以上のように、この発明の実施の形態１によれば、アップダウンカウンタ3による計数率測定とカウンタによる計数率測定を並列で行い、両方の計数率を比較することによりアップダウンカウンタ3による計数率測定の健全性を診断して出力するようにしたので、簡単な構成で放射線測定装置の要である計数率測定について、精度の高い自己診断をリアルタイムで行うことができ、信頼性の高い装置を安価で提供できる。
【００２３】
実施の形態２．
実施の形態１では、定周期でカウンタ6の計数値が上記演算器7に組み込まれ、続いて上記カウンタ6がリセットされて計数を再開するが、実施の形態２では、図５に示すタイムチャートのように、演算器７の内部のクロック(図示せず)のパルスc1でシーケンシャルに制御され、例えば、当該演算周期c2において、積算値Mの読み込みのタイミングc3に続くc4のタイミングで計数値Nが読み込まれる。
図６のフロー図においてNがオーバーフロー限界値N限界手前の、例えば、1/2N限界未満ならば(S11)、カウンタ6をリセットせずにS1に戻り、カウンタ6が1/2N限界以上ならば(S12)、カウンタ6が1/2N限界以上になった演算周期c6で、c4に続くc5のタイミングでカウンタ6をリセットして計数を最初から再開させ、S1に戻るようにしたものである。前記演算周期におけるカウンタ6のリセットの有無によりN（今回）の算出方法は2つに分かれる（S15）。即ち、カウンタ６をリセットした場合は、N（今回）の値は、読み込んだNの値をそのまま使用し（S14）、カウンタをリセットしない場合は、N（今回）の値は、読み込んだNの値から、N（前回）の値を引いた値を使用する（S13）。カウンタ６のオーバーフロー限界を、十分大きい値に設定しておけば、ほとんどの場合において、カウンタ６のリセットは行われず、完全同期からのずれは１クロックとなり、ここで、クロックを4MHzとすると、0.25μ秒に軽減されるため、更に精度の高い自己診断をリアルタイムで行うことができる。
【００２４】
実施の形態３．
実施の形態１及び２では、放射線測定値は表示器100にフリッカしないで表示されるが、実施の形態３では、図７のフロー図において当該演算周期の間にカウンタ6に入力されたパルスの正味計数値が放射線測定レンジ上限以上に相当する場合(S21)、演算器7から表示器100に出力される放射線測定値にフリッカのフラグをたてS1に戻る(S22)、正味計数値が放射線測定レンジ上限未満に相当する場合(S23)、演算器7から表示器100に出力される放射線測定値はフリッカのフラグなしとしS1に戻る(S24)ようにしたので、表示器100に表示された放射線測定が測定レンジ以内の信頼できる値かどうかを一目で分かるように可視化できる。
【００２５】
実施の形態４．
実施の形態４では、図８のブロック図に示すように、第１のA/D変換器400に放射線検出器1に供給する高圧電源の電圧レベルを入力してデジタルデータに変換し、第２のA/D変換器500に波高弁別器2の波高弁別レベルをデジタルデータに変換し、それぞれのデジタルデータを演算器7に入力し、それぞれ所定の許容範囲にあるかどうかを定周期で診断するようにしたので、高圧電源及び波高弁別器の健全性をリアルタイムで診断でき、高圧電源を診断することにより間接的に直流電源も診断でき、放射線測定装置の機器異常要因を網羅した総合的な診断が可能となる。
【００２６】
実施の形態５．
実施の形態５では、図９のブロック図に示すように、テスト信号を発生するテスト信号発生器600と、波高弁別器２の出力信号である検出器信号とテスト信号を切り換える切換スイッチ700を備え、演算器7は、テスト時に切換スイッチ700をテスト信号入力に切り換えて計数率nをテスト入力計数率とし、これに対する計数率mの比を求め、計数率指示誤差演算を行うようにしたので、測定器を接続しないでもテスト信号の周波数を測定できるので簡便で信頼性の高いテストを行うことができる。なお、指示誤差は複数回の移動平均値を表示するようにしたのでより精度の高い試験を行うことができる。
【００２７】
実施の形態６．
実施の形態６では、図１０に示すトレンドのように、テスト入力e1と指示応答e2を表示器100にトレンド表示するようにしたので、指示応答が安定してから指示誤差評価することにより精度の高い試験を行うことができる。
【００２８】
実施の形態７．
実施の形態７では、図１１に示すように、テスト信号を発生可能なテスト信号発生器600と、テスト信号発生器600の出力を、放射線検出器1の検出出力パルスを模擬した模擬パルスへ変換するための微分回路800と、放射線検出器1の検出出力パルスと模擬パルス信号を切り換え可能な切換スイッチ700を備え、演算器７はテスト時に切換スイッチ700を模擬パルス入力に切り換え、模擬パルスの波高値を変化させることで、波高弁別器2の健全性
を確認することができるため、より精度の高い試験を行うことが出来る。
【符号の説明】
【００２９】
1  放射線検出器
2  波高弁別器
3  アップダウンカウンタ
4  パルス発生器
5  積算制御回路
6  カウンタ
7  演算器
8  出力端子
9  メモリ
100  表示器
400  第１のA/D変換器
500  第２のA/D変換器
600  テスト信号発生器
700  切換スイッチ
800  微分回路
【図６】
0005419670.tif 000002
【図１】
0005419670.tif 000003
【図２】
0005419670.tif 000004
【図３】
0005419670.tif 000005
【図４】
0005419670.tif 000006
【図５】
0005419670.tif 000007
【図７】
0005419670.tif 000008
【図８】
0005419670.tif 000009
【図９】
0005419670.tif 000010
【図１０】
0005419670.tif 000011
【図１１】
0005419670.tif 000012